(57)【特許請求の範囲】
【請求項１】
ワゴンの水平面に沿って延びる板の上方に配置され、かつ、前記ワゴンの板の周縁に沿って延びるサイドレールに医療廃棄容器を引っ掛けることを可能とする樹脂製のハンガーの構造であって、
前記医療廃棄容器は医療廃棄物を収容する有底の容器本体と、前記容器本体の上方の開口を覆うと共に医療廃棄物を投入するための投入口を有する第１の蓋と、前記第１の蓋の前記投入口を閉塞するための第２の蓋とを有し、
前記ハンガーは、
前記容器の側面の上部の周囲に沿って半周ないし全周にわたって延び前記容器を支持するバンド部と、
前記バンド部の第１辺部に対向し前記サイドレールの軸方向に沿って延びる挟持片部と前記第１辺部とで形成された挟持部とを備え、
前記挟持部は上端に近づくに従い先窄まりとなるように前記第１辺部と前記挟持片部とが互いに接近し、前記サイドレールが前記挟持部の上端から下方に離れた位置で前記挟持部の樹脂弾性により前記サイドレールを挟持し、
ここにおいて、前記第１の蓋にはシリンジから注射針を取り外すための取り外し孔が形成されており、
前記挟持片部を設けた前記第１辺部から下方に連らなり、前記バンド部の第１辺部の下方において前記ワゴンの天板の側部に当接すると共に、前記容器の湾曲した側面に対し、周方向に互いに離れた２箇所において当接する垂れ板部が前記バンド部の第１辺部に一体に連らなって形成されている医療廃棄容器のハンガー構造。
【請求項２】
請求項１において、前記容器を下げて持ち運ぶことを可能とする握り部と、当該握り部を前記容器に回転自在に支持する一対の第１孔部に挿入された軸部とが一体に形成された把手パーツを前記容器が更に備え、
前記バンド部は前記第１辺部に隣接し、かつ、互いに対向する一対の第２辺部を有し、該第２辺部が前記第１辺部に連らなっており、
前記各第２辺部には前記第１孔部に合致する第２孔部が形成され、
前記各軸部が前記第１孔部および第２孔部の双方を貫通していることで、前記バンド部から前記容器が上方に向って離脱するのを防止する離脱防止手段が構成されている医療廃棄容器のハンガー構造。
【請求項３】
請求項２において、前記バンド部は前記第１辺部と前記第２辺部とでコ字状に形成され、前記容器の側面の上部の周囲に沿って半周にわたって延び、
前記第２辺部の先端部が容器から離れるように開くのを防止するために、前記第２辺部の先端部と前記容器とが互いに係合する拡開防止手段が前記先端部および容器に形成されている医療廃棄容器のハンガー構造。
【請求項４】
ワゴンの水平面に沿って延びる板の上方に配置され、かつ、前記ワゴンの板の周縁に沿って延びるサイドレールに医療廃棄容器を引掛けることを可能とするハンガーの構造であって、
前記医療廃棄容器は医療廃棄物を収容する有底の容器本体と、前記容器本体の上方の開口を覆うと共に医療廃棄物を投入するための投入口を有する第１の蓋と、前記第１の蓋の前記投入口を閉塞するための第２の蓋とを有し、前記容器は、前記容器を下げて持ち運ぶことを可能とする握り部と、当該握り部を前記容器に回転自在に支持する一対の第１孔部に挿入された軸部とが一体に形成された把手パーツを更に備え、
前記ハンガーは、前記容器の側面の上部の周囲に沿って半周ないし全週にわたって延び前記容器を支持するバンド部と、
前記バンド部の第１辺部に対向し、かつ、前記第１辺部に沿って延び前記サイドレールを前記第１辺部との間で樹脂の弾性により挟持する挟持片部とを備え、
ここにおいて、前記第１の蓋にはシリンジから注射針を取り外すための取り外し孔が形成されており、
前記挟持片部を設けた前記第１辺部から下方に連らなり、前記バンド部の第１辺部の下方において前記ワゴンの天板の側部に当接すると共に、前記容器の湾曲した側面に対し、周方向に互いに離れた２箇所において当接する垂れ板部が前記バンド部の第１辺部に一体に連らなって形成されている医療廃棄容器のハンガー構造。
【請求項５】
ワゴンの水平面に沿って延びる板の上方に配置され、かつ、前記ワゴンの板の周縁に沿って延びるサイドレールに医療廃棄容器を引掛けることを可能とするハンガーの構造であって、
前記医療廃棄容器は医療廃棄物を収容する有底の容器本体と、前記容器本体の上方の開口を覆うと共に医療廃棄物を投入するための投入口を有する第１の蓋と、前記第１の蓋の前記投入口を閉塞するための第２の蓋とを有し、前記容器は、前記容器を下げて持ち運ぶことを可能とする握り部と、当該握り部を前記容器に回転自在に支持する一対の第１孔部に挿入された軸部とが一体に形成された把手パーツを更に備え、
前記ハンガーは、前記容器の側面の上部の周囲に沿って半周ないし全週にわたって延び前記容器を支持するバンド部と、
前記バンド部の第１辺部に対向し、かつ、前記第１辺部に沿って延び前記サイドレールを前記第１辺部との間で樹脂の弾性により挟持する挟持片部と、
前記ハンガーから前記容器が上方に向って離脱するのを防止するために前記容器に係合する離脱防止手段とを備え、
前記バンド部は前記第１辺部に隣接し、かつ、互いに対向する一対の第２辺部を有し、該該第２辺部が前記第１辺部に連らなっており、
前記各第２辺部には前記第１孔部に合致する第２孔部が形成され、
前記各軸部が前記第１孔部および第２孔部の双方を貫通していることで、前記バンド部から前記容器が離脱するのを防止する前記離脱防止手段が構成されている医療廃棄容器のハンガー構造。
【請求項６】
ワゴンの水平面に沿って延びる板の上方に配置され、かつ、前記ワゴンの板の周縁に沿って延びるサイドレールに医療廃棄容器を引掛けることを可能とするハンガーの構造であって、
前記医療廃棄容器は医療廃棄物を収容する有底の容器本体と、前記容器本体の上方の開口を覆うと共に医療廃棄物を投入するための投入口を有する第１の蓋と、前記第１の蓋の前記投入口を閉塞するための第２の蓋とを有し、前記容器は、前記容器を下げて持ち運ぶことを可能とする握り部と、当該握り部を前記容器に回転自在に支持する一対の第１孔部に挿入された軸部とが一体に形成された把手パーツを更に備え、
前記ハンガーは、前記容器の側面の上部の周囲に沿って半周ないし全週にわたって延び前記容器を支持するバンド部と、
前記バンド部の第１辺部に対向し、かつ、前記第１辺部に沿って延び前記サイドレールを前記第１辺部との間で樹脂の弾性により挟持する挟持片部と、
前記バンド部は前記第１辺部に隣接し、かつ、互いに対向する一対の第２辺部を有し、該第２辺部が前記第１辺部に連らなっており、
前記バンド部は前記第１辺部と前記第２辺部とでコ字状に形成され、前記容器の側面の上部の周囲に沿って半周にわたって延び、前記容器本体を前記第２辺部の先端部において下方から支持し、
前記第２辺部の先端部が容器から離れるように開くのを防止するために、前記第２辺部の先端部と前記容器とが互いに係合する拡開防止手段が前記先端部および容器に形成されている医療廃棄容器のハンガー構造。
【発明の詳細な説明】
【技術分野】
【０００１】
本発明は医療廃棄容器のハンガー構造に関するものである。
【背景技術】
【０００２】
従来より、一度使用された注射針は、院内感染を防ぐため、再度使用されることなく廃棄されている。使用済の注射針は患者から抜き取った後、その場で、直ちに医療廃棄容器に廃棄される。かかる医療廃棄容器については、種々の提案がなされている（特許文献１および２）。
【先行技術文献】
【特許文献】
【０００３】
【特許文献１】ＪＰ２００８−１０９９８８Ａ（要約）
【発明の概要】
【発明が解決しようとする課題】
【０００４】
しかし、容器を現場で用いるには容器自体を搬送する必要がある。そこで、把手を設けた容器が存在するが、この場合でも、容器を手に持って搬送しなければならない、
また、搬送後に前記容器は、サイドテーブルやベッド上等に置かれるため、使用済の注射針等の廃棄時に容器が動いたり倒れたりする場合があり、容器内に注射針等を入れる作業の作業性が低下する。
【０００５】
したがって、本発明の目的は医療現場における使い勝手が良い医療廃棄容器を提供することである。
【課題を解決するための手段】
【０００６】
前記目的を達成するために、本発明はワゴンの水平面に沿って延びる板の上方に配置され、かつ、前記ワゴンの板の周縁に沿って延びるサイドレールに医療廃棄容器を引っ掛けることを可能とする樹脂製のハンガーの構造であって、前記医療廃棄容器は医療廃棄物を収容する有底の容器本体と、前記容器本体の上方の開口を覆うと共に医療廃棄物を投入するための投入口を有する第１の蓋と、前記第１の蓋の前記投入口を閉塞するための第２の蓋とを有し、前記ハンガーは、前記容器の側面の上部の周囲に沿って半周ないし全周にわたって延び前記容器を支持するバンド部と、前記バンド部の第１辺部に対向し前記サイドレールの軸方向に沿って延びる挟持片部と前記第１辺部とで形成された挟持部とを備え、前記挟持部は上端に近づくに従い先窄まりとなるように前記第１辺部と前記挟持片部とが互いに接近し、前記サイドレールが前記挟持部の上端から下方に離れた位置で前記挟持部の樹脂弾性により前記サイドレールを挟持することを特徴とする医療廃棄容器のハンガーを備えている。
【発明の効果】
【０００７】
本発明によれば、前記容器を搬送する場合には、前記外蓋により前記投入口を閉塞した状態で、かつ、前記挟持部を前記サイドレールに引掛けた状態で前記ワゴンを押しながら歩くことで、前記容器を前記ワゴンと共に搬送することができる。
また、医療行為により発生した医療廃棄容器を前記投入口から投入する場合は、前記外蓋を開いて前記投入口が閉塞されていない状態で、かつ、前記挟持部を前記サイドレールに引掛けた状態で用いることができる。
したがって、医療現場における使い勝手が向上する。
特に、第１辺部と挟持片部とが互いにＶ字状となって接近しており、挟持部がサイドレールを樹脂の弾性により挟むので、搬送や注射針を取り外す際に容器の姿勢が安定し、使い勝手が著しく向上する。
【図面の簡単な説明】
【０００８】
【図１】本発明の実施例１にかかる容器ユニットの使用方法を示す斜め正面から見  た斜視図である。
【図２】同斜め背面から見た斜視図である。
【図３】同斜め正面から見た分解斜視図である。
【図４】同斜め背面から見た分解斜視図である。
【図５】同斜め背面から見た斜視図である。
【図６】図６Ａは同容器を斜め背面の下方から見た斜視図、図６Ｂはハンガーを斜め  背面の上方から見た斜視図である。
【図７】容器本体、中蓋およびハンガーの断面図である。
【図８】実施例２に係る別の容器ユニットの使用方法を示す斜め背面から見た斜視図  である。
【図９】実施例１の容器の搬送方法を示す斜視図である。
【図１０】実施例１の容器の取り外し工程を示す斜視図である。
【図１１】実施例１の容器の取り外し工程を示す側面図である。
【図１２】実施例３にかかるバンド部および離脱防止手段の構造を示す斜視図である。
【図１３】実施例１にかかる容器ユニットを一部断面して示す側面図である。
【図１４】本発明の実施例４にかかる容器ユニットの使用方法を示す斜め正面から  見た斜視図である。
【図１５】同斜め背面から見た斜視図である。
【図１６】同斜め正面から見た分解斜視図である。
【図１７】同斜め背面から見た分解斜視図である。
【図１８】図１８Ａは同容器を斜め背面の下方から見た斜視図、図１８Ｂはハンガーを斜め背面の上方から見た斜視図である。
【発明を実施するための形態】
【０００９】
本発明の好ましい実施例では、前記第１の蓋にはシリンジから注射針を取り外すための取り外し孔が形成されており、前記挟持片部を設けた前記第１辺部から下方に連らなり、前記バンド部の第１辺部の下方において前記ワゴンの板の側部に当接すると共に、前記容器の湾曲した側面に対し、周方向に互いに離れた２箇所において当接する垂れ板部が前記バンド部の第１辺部に一体に連らなって形成されている。
【００１０】
容器は薄肉かつ軽量で高い剛性が要求されるので、一般に、側面（側壁）が外に向って凸となるように湾曲している。この湾曲した側面がワゴンの天板等の側部に当接すると、シリンジの注射針を取り外し孔に挿入し前記シリンジから注射針を取り外す際などに、天板の側部に寄りかかった状態の容器の姿勢が不安定（グラつく）となり、そのため、たとえば前記注射針を取り外す作業性が低下する。
【００１１】
これに対し、本実施例では挟持片部を設けた第１辺部に連らなる垂れ板部を設け、この垂れ板部が天板の側部に当接すると共に、容器の湾曲した側面に対し周方向に互いに離れた２箇所において当接する。そのため、前記注射針の取り外し作業の際に、容器がグラついたり、ガタついたりするおそれがない。つまり、容器の姿勢が安定するので、たとえば注射針を取り外す作業性が向上する。
【００１２】
すなわち、前記第２の蓋を開いて前記取り外し孔が閉塞されていない状態で、かつ、前記挟持部を前記サイドレールに引掛けた状態で、前記取り外し孔に前記注射針を引掛けて前記注射針を前記シリンジから取り外すと共に当該注射針を前記容器本体内に落下させる作業において、作業性が安定する。
【００１３】
本発明の更に好ましい実施例においては、前記容器を下げて持ち運ぶことを可能とする握り部と、当該握り部を容器に回転自在に支持する一対の第１孔部に挿入された軸部とが一体に形成された把手パーツを前記容器が更に備え、前記バンド部は前記第１辺部に隣接し、かつ、互いに対向する一対の第２辺部を有し、該第２辺部が前記第１辺部に連らなっており、前記各第２辺部には前記第１孔部に合致する第２孔部が形成され、前記各軸部が前記第１孔部および第２孔部の双方を貫通していることで、前記バンド部から前記容器が上方に向って離脱するのを防止する離脱防止手段が構成されている。
【００１４】
この場合、バンドの第２辺部の第２孔部と容器の第１孔部とを把手パーツの軸部が貫通しているので、把手パーツを上方に引き上げることにより、容器およびバンド部の双方をワゴンのレールから取り外すことができる。
【００１５】
すなわち、前記第２の蓋により前記投入口を閉塞した状態で、かつ、前記挟持部を前記サイドレールに引掛けた状態で、前記把手パーツの握り部を前記第２の蓋の上方の位置まで回転させ、前記把手パーツの握り部を更に上方に向って引き上げることにより、前記挟持部が前記サイドレールを挟持していない状態にして前記容器を前記ハンガーと共に前記ワゴンから取り外すことができる。したがって、ハンガーがサイドレールに残ることなく、容器をワゴンから取り除くことができる。
【００１６】
本発明の更に好ましい実施例では、前記バンド部は前記第１辺部と前記第２辺部とでコ字状に形成され、前記容器の側面の上部の周囲に沿って半周にわたって延び、前記第２辺部の先端部が容器から離れるように開くのを防止するために、前記第２辺部の先端部と前記容器とが互いに係合する拡開防止手段が前記先端部および容器に形成されている。
【００１７】
この場合、バンド部が半周にわたってコ字状に形成されており、全周にわたって設けられていないので、ハンガーのコストダウンを図り得る。
【００１８】
しかし、コ字状のバンド部の２つの第２辺部の先端部は外力が負荷された際に拡開し易く、バンド部が拡開すると容器を支持できずに、容器が落下する場合がある。
これに対し、本実施例では、拡開防止手段を設け、前記バンド部の２つの先端部が拡開しないように、先端部と容器とを互いに係合させている。したがって、バンド部により容器を確実に支持し得る。
【００１９】
本発明の別の好適な実施例においては、第１および第２の蓋は方形状で、前記第２の蓋が前記第１の蓋に対してヒンジで回転して前記第２の蓋の前記投入口を開閉し、前記第１および第２の蓋の４辺のうち前記ヒンジを設けた辺以外の辺に沿って、前記挟持部が前記容器本体に配置されている。
【００２０】
ヒンジを中心にして第２の蓋を第１の蓋に対して回転し、第１の蓋の投入口を開いた状態にして使用すると、第２の蓋が容器本体よりも外方に突出する。この突出した第２の蓋がワゴンの天板側（板側）に倒れると、ワゴンの天板上のスペースを使えなくなったり、第２の蓋が汚れている場合には天板上の医療品を汚すおそれがある。
【００２１】
ここで、本実施例によれば、ヒンジを形成した辺以外の辺に沿って挟持部が設けられているので、第２の蓋が天板側とは異なる側に（空間に向かって）倒れる。したがって、天板上のスペースを有効に使うことができると共に、第２の蓋が汚れている場合も天板上の医療品を汚すおそれがない。
【００２２】
本発明の別の好適な実施例は、第１の蓋が前記容器本体に対して第１の姿勢で装着可能で、かつ、当該第１の姿勢に対し鉛直線のまわりに９０°および／または１８０°旋回した第２および／または第３の姿勢で装着可能であり、前記ハンガーが前記容器本体に装着され、かつ、前記第１の蓋と第２の蓋とが前記ヒンジを介して互いに一体に連なり、かつ、前記第１の蓋が前記容器本体に装着されていない状態の荷姿である。
【００２３】
一般に、この種の医療廃棄容器の第１の蓋（中蓋）は容器本体に装着すると、安全上、取り外せない（、あるいは、極めて取り外しにくい）構造となっている。
その一方で、前記ヒンジの位置と挟持部の位置関係は用いる医療現場のユーザーの好みによって異なる。したがって、第１の蓋を第１の姿勢以外の第２の又は第３の姿勢で容器本体に装着可能とし、かつ、出荷時に未装着とすれば、ユーザーの好み（要望）に応じた選択的な用い方が可能となる。
その一方で、ハンガーは容器本体に装着しておくことで、ユーザーはハンガーを容器本体に装着する手間が省ける。
【実施例】
【００２４】
以下、本発明の一実施例を図面にしたがって説明する。
【００２５】
図１，図２および図５に示すように、ワゴン６０はキャスタ６１、天板（水平面に沿って延びる板の一例）６２およびサイドレール６３を備える。前記サイドレール６３はワゴン６０の天板６２の上方に配置され、ワゴン６０の天板６２の周縁の一部または全部に沿って延びる。
なお、サイドレール６３は天板６２の側部６４にブラケット６５を介して固定されている。また、天板６２の下方の棚板(水平面に沿って延びる板の一例)の上方のサイドレールは支柱間に架設されている。
【００２６】
図３および図４に明示するように、医療廃棄容器１（以下、単に「容器１」という。）は、容器本体３０、中蓋（第１の蓋の一例）１０、外蓋（第２の蓋の一例）２０および把手パーツ４０を備え、合成樹脂で形成されている。
【００２７】
前記容器本体３０は医療廃棄物を収容する有底の容器である。中蓋１０は前記容器本体３０の上方の開口３１を覆うと共に医療廃棄物を投入するための投入口１１を有する。前記外蓋２０は前記中蓋１０の前記投入口１１を閉塞する。
なお、前記中蓋１０にはシリンジから注射針を外すための取り外し孔１４が形成されている。
【００２８】
なお、容器本体３０は略直方体形状で、４つの側面３２が平面断面において外方Ｘに向って凸となるように若干湾曲している。
【００２９】
前記容器本体３０には中蓋１０が固く嵌る鍔部３４と、把手パーツ４０の軸部４１が挿入される第１孔部３３を形成する第１ボス部３５とが一体に形成されている。
なお、前記第１ボス部３５は下方が開口した箱型に形成されている。
【００３０】
前記中蓋１０と外蓋２０とは互いに一体に成形されており、かつ、前記容器本体３０とは別体である。前記外蓋２０は中蓋１０に対し、いわゆる樹脂ヒンジ１２を介して回転自在となっている。
なお、キャップパーツ１３はオプションで、投入口１１の形状や寸法を変える開口１３ａを有し、投入口１１に嵌合される。
【００３１】
前記把手パーツ４０は前記容器１を下げて持ち運ぶことを可能とする握り部４２と、当該握り部４２を容器本体３０に回転自在に支持する一対の第１孔部３３に挿入される軸部４１とが一体に形成されている。なお、図７に示すように、前記軸部４１の先端には前記第１孔部３３に挿入された軸部４１が抜けるのを防止する径大部４３が一体に形成されている。
【００３２】
つぎに、本発明の要部である図２のハンガー５０について説明する。
ハンガー５０は外蓋２０とは別体で、容器１をサイドレール６３に引掛けて吊り下げた状態とすることを可能とする。
【００３３】
図６Ｂに明示するように、前記ハンガー５０は、バンド部５１、挟持片部５２、挟持部５３、垂れ板部５４および第２ボス部５５とが合成樹脂で一体に形成されている。
【００３４】
前記バンド部５１は容器本体３０の側面３２の上部の周囲に沿って半周程度にわたって延びて、平面断面の形状がコ字状に形成されている。
前記バンド部５１は前記第１辺部５１ａと前記第１辺部５１ａに隣接し互いに対向する一対の第２辺部５１ｂ，５１ｂとでコ字状に形成され、前記容器本体３０の側面３２の上部の周囲に沿って半周にわたって嵌合する。
【００３５】
前記各第２辺部５１ｂの先端部には前記第２ボス部５５が一体に形成されている。前記各第２ボス部５５は図６Ａの前記第１ボス部３５を覆うように前記第１ボス部３５に嵌る。
【００３６】
すなわち、図６Ａの前記第１ボス部３５は平面断面がコ字状で、側面３２から外方に向って突出する。一方、図６Ｂの前記第２ボス部５５は平面断面がコ字状で、第２辺部５１ｂから外方に向って突出する。
【００３７】
前記第２ボス部５５は上方が開口しており、前記ハンガー５０は前記容器本体３０に対し下方から嵌り込むことができる。前記第２ボス部５５には出窓のように突出した支持部５５ａが一体に形成されており、該支持部５５ａが第１ボス部３５を下方から支持することで、容器本体３０がバンド部５１から脱落（落下）するのを防止する。
【００３８】
図６Ｂに示すように、前記支持部５５ａには上方に向って突出する突部５５ｂが形成されており、この突部５５ｂは図７の前記第１ボス部３５に係合している。すなわち、前記突部５５ｂおよび第１ボス部３５は、前記コ字状の第２辺部５１ｂが容器本体３０から離れるように開くのを防止するために、前記第２辺部５１ｂの先端部と前記容器本体３０とが互いに係合する拡開防止手段を構成する。
【００３９】
図６Ａおよび図６Ｂにおいて、前記バンド部５１の第１辺部５１ａの上端面には、前記容器本体３０の鍔部３４（図４）の内側の隙間に入る係合突条５７が形成され、ハンガー５０のバンド部５１が容器本体３０から外方に離脱するのを防止している。
図１３の断面において示すように、前記容器本体３０の鍔部３４は断面が逆Ｕ字状になっており、前記逆Ｕ字状の溝間には複数のリヴ３４ａが間欠的に配置されている。
前記係合突条５７は前記リヴ３４ａの下端を支持する。また、前記係合突条５７は前記鍔部３４の溝間に入り込んでおり、前記鍔部３４および／または前記中蓋１０のフランジ部１００に係合することで、前記離脱を防止している。
なお、フランジ部１００は前記鍔部３４の外周に嵌合している。
【００４０】
前記第１ボス部３５および第２ボス部５５には、それぞれ、第１および第２孔部３３，５６が形成されている。前記第１孔部３３と第２孔部５６とは、図７に示すように、上下に若干オフセットΔされた状態で互いに合致している。
【００４１】
図７の前記軸部４１は前記第１孔部３３および第２孔部５６の双方を貫通していることで、前記バンド部５１から前記容器１が離脱するのを防止する前記離脱防止手段を構成している。
すなわち、容器本体３０の第１ボス部３５とハンガー５０の第２ボス部５５とは、第１および第２孔部３３，５６を貫通する軸部４１を介して互いに係合することで、容器本体３０がバンド部５１から離脱するのが防止される。
【００４２】
図１１において、前記挟持部５３は、前記バンド部５１の第１辺部５１ａに対向し前記サイドレール６３の軸方向Ｙ（図１）に沿って延びる挟持片部５２と前記第１辺部５１ａとで形成されている。図１１に明示するように、前記挟持部５３は上端に近づくに従い先窄まりとなるように前記第１辺部５１ａと前記挟持片部５２とが互いに接近し、前記サイドレール６３が前記挟持部５３の上端から下方に離れた位置で前記挟持部５３の樹脂弾性により挟持する。
なお、第１辺部５１ａと挟持片部５２とは略Ｖ字状の屈曲部５８を介して互いに連らなっている。
また、挟持片部５２の下部にはサイドレール６３に嵌り易くするための案内部５９が連らなっている。
【００４３】
前記垂れ板部５４は前記バンド部５１の第１辺部５１ａに一体に連らなって形成されている。この垂れ板部５４は前記挟持片部５２を設けた前記第１辺部５１ａから下方に連らなり、前記バンド部５１の第１辺部５１ａの下方において前記ワゴンの天板６２の側部６４に周方向Ｒに離れた２箇所以上で当接するように、図６Ｂの平坦な平面部５４ａを有する。また、図３の前記垂れ板部５４は前記容器本体３０の湾曲した側面３２に対し、周方向に互いに離れた２箇所において当接するための湾曲した突部５４ｂを前記平面部５４ａの下端に形成している。
なお、「周方向に互いに離れた２箇所において当接する」とは、周方向に離間した部位で突部５４ｂが容器本体３０の側面に当接することで、容器のガタツキを防止できるということであり、突部５４ｂは長い突条でもよいし、短い２つの突起であってもよい。
また、垂れ板部が容器本体３０の側面３２の湾曲に沿って湾曲形成され、当該垂れ板部から外方に向かって突出する突条を周方向に互いに離れた２箇所に設け、当該突条が天板６２の側部６４に当接するようにしてもよい。
【００４４】
つぎに、前記容器１の用い方について説明する。
まず、図１１に示すように、サイドレール６３にハンガー５０の挟持部５３を嵌め込む。この際、挟持片部５２がサイドレール６３に押されて若干拡開しながら、軸方向Ｙ(図２)にある程度の長さ（挟持片部５２の長さ）にわたって、第１辺部５１ａとの間でサイドレール６３を挟み持つ。
一方、垂れ板部５４の下部が軸方向Ｙにある程度の長さ（垂れ板部５４の長さ）にわたって天板６２の側部６４に線接触する。
したがって、容器１は鉛直方向に支持されると共に、第１辺部５１ａ側において、広い面で支持されることになり、そのため、容器１の姿勢が安定した状態で、ワゴン６０に支持される。
なお、ハンガー５０は天板６２の下方の棚板の上方のサイドレールに引っ掛けてもよい。
【００４５】
病室に向う場合には、前記ワゴン６０の天板６２等に薬剤や注射器等の必要な医療用
具等を載せ、かつ、図９および図１０のように、前記容器１をワゴン６０に引掛けた状態で移動する。すなわち、外蓋２０により前記投入口１１(図８)を閉塞した状態で、かつ、前記挟持部５３を前記サイドレール６３に引掛けた状態で前記ワゴン６０を押しながら歩くことで、前記容器１を前記ワゴン６０と共に搬送する。
【００４６】
つづいて、病室で医療行為を行う際は、次のように容器１を用いる。
図１、図２および図５のように、外蓋２０を開いて前記投入口１１が閉塞されていない状態で、かつ、前記挟持部５３を前記サイドレール６３に引掛けた状態で、医療行為により発生した医療廃棄物（たとえば留置針）を前記投入口１１から投入する。
【００４７】
たとえば、注射を行った後に注射器の注射針等を廃棄する場合は、図２の外蓋２０を開いて前記取り外し孔１４が閉塞されていない状態で、かつ、前記挟持部５３を前記サイドレール６３に引掛けた状態で、前記取り外し孔１４に前記注射針を引掛けて前記注射針を前記シリンジから取り外すと同時に当該注射針を前記容器本体３０内に落下させる。
前記注射針の取り外しの際に容器１には取り外しの反力が作用するが、本ハンガー構造では前述のように、容器１が安定して支持されるので、前記注射針の取り外し作業が容易になる。
なお、シリンジが不必要となった場合には当該シリンジも投入口１１から容器本体３０内に投入して廃棄する。
【００４８】
前記病室への移動及び投入を繰り返すうちに、容器本体３０内が例えば８割程度廃棄物で埋まると、当該容器１を下記の方法でサイドレール６３から外し廃棄する。
すなわち、外蓋２０により前記投入口１１を閉塞した状態で、かつ、前記挟持部５３を前記サイドレール６３に引掛けた状態で、図１０のように把手パーツ４０の握り部４２を前記外蓋２０の上方の位置まで回転させ、前記把手パーツ４０の握り部４２を更に上方に向って引き上げることにより、図１１の前記挟持部５３が前記サイドレール６３を挟持していない状態にして前記容器１を前記ハンガー５０と共に前記ワゴン６０から取り外し、所定の大型バケツ内に容器１を投入廃棄する。
【００４９】
なお、周知のように、この取り外しの際には、外蓋２０が開くことがないような構造とするのが好ましい。
【００５０】
図１４〜図１８は別の実施例を示す。
図１４および図１５に示すように、前記中蓋および外蓋１０，２０は方形状で、前述のとおり前記外蓋２０は前記中蓋１０に対してヒンジ１２で回転して前記外蓋２０の前記投入口１１を開閉する。
前記方形状の中蓋および外蓋１０，２０の４辺のうち前記ヒンジ１２を設けた辺以外の辺に沿って、図１５の前記挟持部５３が前記容器本体に配置されるように中蓋１０が容器本体３０に装着されている。
【００５１】
ここで、本実施例によれば、ヒンジ１２を形成した辺以外の辺に沿って挟持部５３が設けられているので、外蓋２０を開いた際に、外蓋２０が天板６２側とは異なる反対側に倒れる。したがって、天板６２上のスペースを有効に使うことができると共に、外蓋２０が汚れている場合も天板２０上の医療品を汚すおそれがない。
【００５２】
なお、ヒンジ１２（図１４）を挟持部５３に隣接する辺に設けてもよい。また、ヒンジは樹脂ヒンジではなく機械的な（軸を孔で回転自在に支持した）ヒンジであってもよい。
【００５３】
つぎに前記ハンガー構造を持つ医療廃棄容器の荷姿について説明する。
図１に示すように、前記中蓋１０は前記容器本体３０に対して第１の姿勢で装着可能で、かつ、当該第１の姿勢に対し図１４のように中蓋１０を鉛直線のまわりに１８０°旋回した第２の姿勢で装着可能である。
図１５のように、前記ハンガー５０が前記容器本体３０に装着され、かつ、前記中蓋１０と外蓋２０とが前記ヒンジ１２（図１４）を介して互いに一体に連なり、かつ、図１６の前記中蓋１０が前記容器本体３０に装着されていない状態で本ハンガー付の容器を出荷する。
【００５４】
この場合、医療現場のユーザーは、ユーザーの好みで応じて図１の第１の姿勢または図１４の第２の姿勢のいずれの状態でも選択的に用いることができる。
【００５５】
なお、中蓋１０が正方形状である場合、前記第１の姿勢に対し中蓋１０が鉛直線のまわりに９０°旋回した第３の姿勢とすることもできる。
【００５６】
前記各実施例は図示の都合上、容器本体３０が浅いタイプで説明したが、図８に示すように、容器本体３０が深いタイプの方が、本ハンガー構造のメリットが大きくなる。
すなわち、図８の容器本体３０が深いタイプでは、容器１を天板６２等に載置すると、搬送中および注射針の取り外し中などに、容器１が転倒し易いが、本ハンガー構造によれば、かかる転倒を防止し得る。
【００５７】
ところで、前記実施例においてはバンド部５１が容器本体３０の略半周程度にわたって設けられていたが、図１２の別の実施例に示すように、バンド部５１は容器本体３０の全周にわたって設けてもよい。（特開２００８−１０９９８８号参照）
【００５８】
また、前記図７の実施例においては把手パーツ４０の軸部４１を介して容器本体３０とハンガー５０とが係合し、ハンガー５０が容器本体３０から離脱するのを防止したが、この離脱防止の手段として、同公報に開示された図１２の引掛部５０Ａを設けてもよい。
この引掛部５０Ａはバンド部５１に樹脂ヒンジ１００により回転可能に連結されている。
【００５９】
なお、この場合、引掛部５０Ａによる係合を容易に解除できるので、ハンガー５０を容器本体３０から取り外し、容器１を廃棄した後に、ハンガー５０を他の容器１に装着することで、ハンガー５０を繰り返し使用することができる。
【００６０】
また、この場合、ハンガー５０は第１ボス部３５の下方に配置される。
【産業上の利用可能性】
【００６１】
本発明は医療廃棄物を廃棄するための容器に適用できる。
【符号の説明】
【００６２】
１：容器
１０：中蓋（第１の蓋）
１１：投入口
１２：樹脂ヒンジ
１４：取り外し孔
２０：外蓋（第２の蓋）
３０：容器本体
３１：開口
３２：側面
３３：第１孔部
３５：第１ボス部
４０：把手パーツ
４１：軸部（離脱防止手段）
４２：握り部
５０：ハンガー
５１：バンド部
５１ａ：第１辺部
５１ｂ：第２辺部
５２：挟持片部
５３：挟持部
５４：垂れ板部
５５：第２ボス部
５５ｂ：突部（拡開防止手段）
５６：第２孔部
６３：サイドレール
６４：側部
【図１】
0005769335.tif 000002
【図２】
0005769335.tif 000003
【図３】
0005769335.tif 000004
【図４】
0005769335.tif 000005
【図５】
0005769335.tif 000006
【図６】
0005769335.tif 000007
【図７】
0005769335.tif 000008
【図８】
0005769335.tif 000009
【図９】
0005769335.tif 000010
【図１０】
0005769335.tif 000011
【図１１】
0005769335.tif 000012
【図１２】
0005769335.tif 000013
【図１３】
0005769335.tif 000014
【図１４】
0005769335.tif 000015
【図１５】
0005769335.tif 000016
【図１６】
0005769335.tif 000017
【図１７】
0005769335.tif 000018
【図１８】
0005769335.tif 000019